(57)【要約】【課題】小型化が可能な絶縁被覆線製造装置の提供。【解決手段】素線Ｄ１に塗工液２５を塗布し、塗工液２５を素線Ｄ１の外周面に焼き付ける絶縁被覆線製造装置１００において、塗工液２５が塗布された素線Ｄ１が内側に配置されるように一列に配列される複数の誘導コイル３１を有し、複数の誘導コイル３１は、巻線ピッチが異なる第１誘導コイルＣ１と第２誘導コイルＣ２よりなり、第１誘導コイルＣ１と第２誘導コイルＣ２は直列接続され、誘導コイル３１に通電されることで塗布済素線Ｄ２を加熱する。【選択図】図１
2016081604.tif 000002
【特許請求の範囲】
【請求項１】
芯線に被覆液を塗布し、前記被覆液を前記芯線の外周面に焼き付ける絶縁被覆線製造装置において、
前記被覆液が塗布された前記芯線が内側に通されるように一列に配列される複数の誘導コイルを有し、
複数の前記誘導コイルは、巻線ピッチが異なる第１誘導コイルと第２誘導コイルよりなり、
前記第１誘導コイルと前記第２誘導コイルは直列接続され、
前記誘導コイルに通電されることで前記芯線を加熱すること、
を特徴とする絶縁被覆線製造装置。
【請求項２】
請求項１に記載の絶縁被覆線製造装置において、
前記芯線の外側であって前記誘導コイルの内側に、非磁性体で形成される非磁性保護材が配置されること、
を特徴とする絶縁被覆線製造装置。
【請求項３】
請求項１又は請求項２に記載の絶縁被覆線製造装置において、
前記誘導コイルは、モールドされてターン毎にコイル分割部が設けられ、
前記コイル分割部を分割することで、前記芯線の交換が可能であること、
を特徴とする絶縁被覆線製造装置。
【請求項４】
請求項２に記載の絶縁被覆線製造装置において、
前記誘導コイルは、モールドされてターン毎にコイル分割部が設けられ、
前記非磁性保護材は、前記芯線の長手方向に分割線が入るように保護材分割部が設けられ、
前記コイル分割部を分割すると共に前記保護材分割部を分割することで、前記芯線の交換が可能であること、
を特徴とする絶縁被覆線製造装置。
【発明の詳細な説明】
【技術分野】
【０００１】
本発明は、エナメル線などの塗布型の絶縁被覆線を製造する技術に関し、詳しくは素線に絶縁被覆用の塗料を塗布した後に乾燥させる際、誘導コイルを用いて熱を発生させ、絶縁被覆膜を形成する技術に関する。
【背景技術】
【０００２】
エナメル線などに代表される塗布型の絶縁被覆線の製造は、素線に絶縁性の被覆材を塗布して熱風乾燥炉で乾燥・硬化させるといった手法を採るのが一般的である。しかしながら、車両の動力に使うモータに用いるエナメル線は、モータの出力向上に伴い大容量の電流を流したいという要望がある。この為、絶縁被覆膜を厚くすることが好ましい。しかし、これまでの絶縁被覆線の製造方法を用いて車両の動力用のモータ用のエナメル線を製造すると、設備が大型化するか、塗り重ね回数が増えてエナメル線の高コスト化を招く傾向にある。以下に関連すると思われる技術を紹介する。
【０００３】
特許文献１に、ケーブル絶縁体の連続架橋設備における誘導加熱装置の制御方法に関する技術が開示されている。導体の上に押出し被覆された絶縁体の架橋反応を、架橋筒内の誘導加熱コイルにより導体を加熱することによって促進させる。この際に、絶縁体が押出し被覆される直前の位置における導体の外側に、誘導加熱コイルと同一径及び同一ピッチを有すると共にそのコイル巻き数を異ならせてなる制御用誘導加熱コイルを配置する。かつ、その制御用誘導加熱コイルと架橋筒内の誘導加熱コイルを直接に連結するとともにこれらに高周波電源により同一の電流を供給する。そして、制御用誘導かねるコイルによって絶縁体被覆前の導体を加熱し、その加熱された導体の温度を測定して指標として高周波電源の出力を調整する。こうすることでケーブル絶縁体を形成することができる。
【０００４】
特許文献２に、エナメル線製造方法に関する技術が開示されている。導線をワニスポットにくぐらせてエナメル塗料を塗布し、その後、誘導加熱装置で内部から加熱、そして熱風乾燥炉で外側から加熱することでエナメル線を製造している。
【０００５】
特許文献３に、絶縁電線の製造装置及び絶縁電線の製造方法に関する技術が開示されている。溶剤が含まれる絶縁塗料を導線に塗布する塗布装置と、この絶縁塗料が塗布された導線を走行状態で加熱し、絶縁塗料を硬化させて絶縁層を形成する焼付炉とを備える絶縁電線の製造装置であって、導線に塗布された未硬化状態の絶縁塗料から溶剤を回収する溶剤回収機構を備え、この溶剤回収機構は、絶縁塗料が塗布された導線の外周に配されると共に、導線を加熱して絶縁塗料から溶剤を気化される加熱装置と、気化された溶剤と接触して、この溶剤を凝縮させる液化部材とを備える。
【先行技術文献】
【特許文献】
【０００６】
【特許文献１】特開昭５７−１５３１４号公報
【特許文献２】特開２００３−２９７１６３号公報
【特許文献３】特開２０１１−１０８６０２号公報
【発明の概要】
【発明が解決しようとする課題】
【０００７】
しかしながら、特許文献１乃至特許文献３に開示される技術を用いてエナメル線をはじめとした塗布型の絶縁被覆線の製造を行う場合、以下に示すような問題があると考えられる。
【０００８】
上述した様に、車載する動力用モータに使用するエナメル線の皮膜の厚みは、絶縁性を高めるニーズがあるために厚くしたい。このため、特許文献２及び特許文献３に記載の熱風乾燥炉を用いて塗布型の絶縁被覆線を製造する手法では、乾燥炉の大型化を招きやすい。塗布された絶縁塗料を乾燥させるにあたって、熱風によって素線の温度を上げて乾燥させる。しかし熱風乾燥は空気を媒介させて熱を素線に伝達するために、加熱効率が悪い。これは空気の熱伝導率などが影響するためである。絶縁被覆膜の膜厚が厚くなれば、乾燥に時間がかかり、それだけ乾燥炉も大型化する必要が出てくる。しかし、絶縁被覆線の製造コスト削減の為には炉の大型化は好ましくない。
【０００９】
尤も、塗布型の絶縁被覆線製造工程においては、塗布と乾燥を繰り返して行うということが一般的に行われている。しかし、絶縁被覆の厚みが厚くなることは、繰り返し回数を増やさねばならないことを意味するので、製造に掛かる時間が増えていくことになる。この為、複数の製造設備を並べて効率よく製造を行うことが考えられるが、乾燥炉など大きな設備を利用すると、工場の設置スペースの関係で効率的な絶縁被覆線の製造が困難となることも考えられる。また、絶縁被覆線の製造コストの増大を招く事も懸念される。
【００１０】
また、特許文献１に示される様に素線に接して温度を測定し、誘導加熱コイルを用いた素線の加熱を調整することも困難である。これは、特許文献１の技術が絶縁体の架橋反応を利用して導体に絶縁被覆するのに対し、エナメル線では塗布型の被覆材を用いているためである。塗料が乾燥する前に導体に触れることは好ましくない。したがって、測温するにあたり接触させての測温は困難である。また、代わりに非接触式の測温方法を採用する事も考えられるが、塗布後の素線の表面温度を測定することになるので、測定精度に難があると考えられる。
【００１１】
そこで、本発明はこのような課題を解決するために、小型化が可能な絶縁被覆線製造装置を提供することを目的とする。
【課題を解決するための手段】
【００１２】
前記目的を達成するために、本発明の一態様による絶縁被覆線製造装置は、以下のような特徴を有する。
【００１３】
（１）芯線に被覆液を塗布し、前記被覆液を前記芯線の外周面に焼き付ける絶縁被覆線製造装置において、前記被覆液が塗布された前記芯線が内側に通されるように一列に配列される複数の誘導コイルを有し、複数の前記誘導コイルは、巻線ピッチが異なる第１誘導コイルと第２誘導コイルよりなり、前記第１誘導コイルと前記第２誘導コイルは直列接続され、前記誘導コイルに通電されることで前記芯線を加熱すること、を特徴とする。
【００１４】
上記（１）に記載の態様により、絶縁被覆線製造装置の小型化が可能となる。これは、従来のように熱風乾燥炉を用いて熱した空気を用いて芯線を加熱する加熱乾燥方式ではなく、誘導コイルを用いて直接的に熱を発生させる方式だからである。空気は熱伝導率が低いので、芯線は高温の空気を長時間に触れさせ続ける必要がある。この結果、乾燥炉を長くする必要がある。その上、絶縁被覆の膜厚を均等にするには縦型炉を使う必要があるので、設備の大型化を招く。一方、誘導コイルで芯線を加熱する（１）に記載の態様の場合には、芯線の内部から熱を発することとなるため、効率的に芯線の加熱が可能となる。この結果、設備の小型化に貢献することができる。
【００１５】
（２）（１）に記載の絶縁被覆線製造装置において、前記芯線の外側であって前記誘導コイルの内側に、非磁性体で形成される非磁性保護材が配置されること、が好ましい。コイルの内側に非磁性保護材が配置されることで、芯材の表面に塗布された絶縁被覆材からの有機溶剤蒸発に伴う汚れなどが飛散して誘導コイルに付着することを防ぐことが可能となる。これによって、メンテナンスの手間を軽減することが可能である。
【００１６】
（３）（１）又は（２）に記載の絶縁被覆線製造装置において、前記誘導コイルは、モールドされてターン毎にコイル分割部が設けられ、前記コイル分割部を分割することで、前記芯線の交換が可能であること、が好ましい。
【００１７】
（４）（２）に記載の絶縁被覆線製造装置において、前記誘導コイルは、モールドされてターン毎にコイル分割部が設けられ、前記非磁性保護材は、前記芯線の長手方向に分割線が入るように保護材分割部が設けられ、前記コイル分割部を分割すると共に前記保護材分割部を分割することで、前記芯線の交換が可能であること、が好ましい。
【００１８】
上記（３）又は（４）に記載の態様により、芯線の交換が容易となる。この為、断替え時間を短縮することが可能となる。また、設備のメンテナンス性も向上する。
【図面の簡単な説明】
【００１９】
【図１】第１実施形態の、絶縁被覆線の製造装置の概略図である。
【図２】第１実施形態の、乾燥部の概略図である。
【図３】第１実施形態の、誘導コイルの構成について説明する略図である。
【図４】第１実施形態の、平角導体の温度と時間の関係について示すグラフである。
【図５】第１実施形態の、塗布直後の塗布済素線の断面図である。
【図６】第１実施形態の、乾燥済平角線の断面図である。
【図７】第２実施形態の、乾燥部の斜視図である。
【発明を実施するための形態】
【００２０】
まず、本発明の第１の実施形態について、参考となる図面を用いて説明する。なお、用いられている図面の詳細部分は、説明の都合上簡略化している。
【００２１】
図１に、第１実施形態の絶縁被覆線の製造装置の概略図を示す。絶縁被覆線製造装置１００は、巻出部１０と、塗工部２０と、乾燥部３０と、巻取部４０とを有している。巻出部１０には平角導体Ｄの素線Ｄ１が巻かれたボビン１１が巻き出し可能に備えられている。素線Ｄ１は無酸素銅を矩形断面に加工した線材である。塗工部２０には、エナメル槽２１が備えられて、ポリアミドイミド樹脂にＮ−メチルピロリドン（ＮＭＰ）や、ナフサ、ジメチルアセトアミド等が溶剤として用いられた塗工液２５が満たされている。この塗工部２０で、素線Ｄ１に絶縁被覆膜が塗布される。
【００２２】
ここで便宜的にエナメル槽２１を通過して素線Ｄ１表面に塗工液２５が塗布された平角導体Ｄを塗布済素線Ｄ２とし、塗布済素線Ｄ２を乾燥させた平角導体Ｄを乾燥済平角線Ｄ３とする。塗布済素線Ｄ２は乾燥部３０にて乾燥され乾燥済平角線Ｄ３となり、巻取部４０にて図示しないボビンに巻き取られる。なお、特に断り無く平角導体Ｄと記載する場合は、素線Ｄ１乃至乾燥済平角線Ｄ３のいずれか、或いは全てを指すものとする。
【００２３】
図２に、乾燥部３０の概略図を示す。乾燥部３０には、誘導コイル３１、交流電源３８、冷却塔３９、及び非磁性保護材に相当する非磁性パイプ３７が備えられる。誘導コイル３１は、直列接続される第１誘導コイルＣ１、第２誘導コイルＣ２、第３誘導コイルＣ３、第４誘導コイルＣ４、第５誘導コイルＣ５、及び第６誘導コイルＣ６よりなる。第１誘導コイルＣ１乃至第６誘導コイルＣ６はそれぞれ異なるピッチに構成されている。それぞれのピッチに関しては、後述する。誘導コイル３１には、交流電源３８が接続されて高周波電流が通電される。
【００２４】
誘導コイル３１の内周側には、非磁性保護材として非磁性パイプ３７が備えられる。非磁性パイプ３７の材質は、非磁性のステンレス材料や耐熱性の高い樹脂、セラミック系の素材などが考えられる。非磁性パイプ３７の内周側に平角導体Ｄが通されている。誘導コイル３１の上部には、冷却塔３９が設けられている。冷却塔３９によって塗布済素線Ｄ２の冷却を行う。そして、巻取部４０で乾燥済平角線Ｄ３がボビンに巻き取られる。
【００２５】
図３に、誘導コイル３１の構成について説明する略図を示す。第１誘導コイルＣ１乃至第６誘導コイルＣ６は、それぞれの長さや巻き方の粗密が、平角導体Ｄの温度管理目標値によって決定されている。図４に、平角導体Ｄの温度と時間の関係について示す。縦軸に平角導体Ｄの表面温度（℃）を、横軸に経過時間（ｓｅｃ）を示す。（Ｔ０、Ｓ０）から（Ｔ１、Ｓ１）までの第１区間Ａ１の加熱は、密に巻かれた第１誘導コイルＣ１によって行われ、平角導体Ｄの表面温度が昇温される。（Ｔ１、Ｓ１）から（Ｔ２、Ｓ２）までの区間の加熱は、疎に巻かれた第２誘導コイルＣ２によって平角導体Ｄの表面温度保持がなされる。この区間では主に、平角導体Ｄに塗布された絶縁性被覆材に混入された揮発剤を蒸発させる。
【００２６】
（Ｔ２、Ｓ２）から（Ｔ３、Ｓ３）までの第２区間Ａ２の加熱は、密に巻かれた第３誘導コイルＣ３によって、平角導体Ｄの表面温度が昇温される。（Ｔ３、Ｓ３）から（Ｔ４、Ｓ４）までの第３区間Ａ３の加熱は、疎に巻かれた第４誘導コイルＣ４によって、平角導体Ｄの表面温度が維持される。ここで、平角導体Ｄの表面に塗布された絶縁性被覆材の硬化を図る。
【００２７】
（Ｔ４、Ｓ４）から（Ｔ５、Ｓ５）までの第５区間の加熱は、密に巻かれた第５誘導コイルＣ５によって、平角導体Ｄの表面温度が昇温される。そして、（Ｔ５、Ｓ５）から（Ｔ６、Ｓ６）までの第６区間の加熱は、疎に巻かれた第６誘導コイルＣ６によって、平角導体Ｄの表面温度が維持される。ここで、平角導体Ｄの表面に塗布された絶縁性被覆材の更なる硬化を図る。誘導コイル３１には交流電源３８が直列で接続されている為、第１誘導コイルＣ１乃至第６誘導コイルＣ６の加熱条件は、コイルの巻き方の粗密と、コイルの長さで決定される。
【００２８】
第１実施形態の絶縁被覆線製造装置１００は上記構成である為、小型化が可能な絶縁被覆線製造装置１００を提供することが可能である。これは、第１実施形態の、芯線に相当する素線Ｄ１に被覆液に相当する塗工液２５を塗布し、塗工液２５を素線Ｄ１の外周面に焼き付ける絶縁被覆線製造装置１００において、塗工液２５が塗布された素線Ｄ１が内側に配置されるように一列に配列される複数の誘導コイル３１と、を有し、複数の誘導コイル３１は、巻線ピッチが異なる第１誘導コイルＣ１と第２誘導コイルＣ２よりなり、第１誘導コイルＣ１と第２誘導コイルＣ２は直列接続され、誘導コイル３１に通電されることで塗布済素線Ｄ２を加熱するからである。
【００２９】
図５に、塗布直後の塗布済素線Ｄ２の断面図を示す。図６に、乾燥済平角線Ｄ３の断面図を示す。図５に示される塗布済素線Ｄ２は塗工部２０から乾燥部３０の途中までの平角導体Ｄの状態を示している。図６に示される乾燥済平角線Ｄ３は、乾燥部３０から巻取部４０までの平角導体Ｄの状態を示している。図５及び図６に示される、素線Ｄ１に塗工液２５が塗布されて形成された絶縁層５０である。絶縁層５０は、平角導体Ｄの種類や形状等によって異なるが、概ね複数解塗布されることで数十μｍから数百μｍ程度に形成されている。
【００３０】
この塗工液２５が素線Ｄ１に塗布されて直ぐの塗布済素線Ｄ２では、塗工液２５に有機溶媒が含まれており、図５に示すように絶縁層５０の内部に有機溶媒が揮発する際に生じる気泡５１ができる場合がある。しかし、そうした場合には絶縁層５０に泡・膨れ等が残るケースがあり、平角導体Ｄの不良に繋がる。そこで、誘導コイル３１を用いて素線Ｄ１の表面から発熱するようにすることで、被膜の品質の向上を図ることが可能となる。
【００３１】
絶縁被覆線製造装置１００の乾燥部３０では、誘導コイル３１に高周波電流を通電することで、素線Ｄ１の表面に誘導電流を誘起し渦電流を発生させてこのジュール熱で、絶縁層５０の溶媒揮発及び硬化を実現している。この為、塗布済素線Ｄ２の内側、すなわち素線Ｄ１の表面から発熱するため、効率よく絶縁層５０の乾燥を行うことが可能である。また、第１誘導コイルＣ１、第２誘導コイルＣ２によって適切な温度制御をすることができる。これは、第１誘導コイルＣ１と第２誘導コイルＣ２で誘導コイル３１の巻き数やピッチを変更し、適切な昇温速度や温度維持が実現できるためである。
【００３２】
具体的には、図５に示したように昇温用の誘導コイル３１と温度保持用の誘導コイル３１を分けてきめ細かく温度設定ができる様になっている。この為、第１誘導コイルＣ１で絶縁層５０に含まれる溶剤が揮発する温度に昇温し、第２誘導コイルＣ２で適切な時間温度保持する事で、効率よく溶剤の揮発を促すことができる。この温度は溶剤の種類によっても調整をする事が望ましい。また、第３誘導コイルＣ３で絶縁層５０を硬化させる温度に昇温し、第４誘導コイルＣ４で適切な時間温度保持をすることで、絶縁層５０の効率のよい硬化が実現できる。更に、第６誘導コイルＣ６にて条件２で絶縁層５０の硬化を促している。そして、その後適切に冷却することで、乾燥済平角線Ｄ３の品質向上に貢献することが可能となる。
【００３３】
また、従来用いられた熱風乾燥炉は、熱量を確保する為に大型化する必要がある。これは、平角導体Ｄに形成される絶縁層５０に厚みが増すことでその傾向が強くなる。しかし、誘導コイル３１による加熱を行うことで、塗布済素線Ｄ２の内側から加熱することが可能となり効率的な加熱、及び温度管理が可能となる。又、熱風乾燥炉のように空気による断熱効果で伝熱性が阻害される事がないため、結果的に乾燥部３０の大きさを小さくすることができる。出願人は、１／３程度にまで乾燥部３０の大きさを縮小ができることを確認している。つまり、絶縁被覆線製造装置１００の乾燥部３０の小型化に貢献することができる。
【００３４】
また、誘導コイル３１による加熱を行うことで、塗布済素線Ｄ２の内側から加熱することで、気泡５１を閉じ込めたまま外側から絶縁層５０が硬化することを防ぐことができる。塗布済素線Ｄ２の外部から加熱する場合には、絶縁層５０から揮発する有機溶剤が閉じ込められて膨れや泡などを生じるおそれがあるが、内側から発熱させることでそれを防ぐことが可能である。これは、絶縁層５０の内部に気泡などが発生しても表面が硬化する前に外部に抜け、結果的に膨れやボイドの形成を抑えることができる。つまり、平角導体Ｄの不良の発生の低減にも貢献ができる。当然、歩留まりの改善はコスト低下に貢献する。
【００３５】
また、絶縁被覆線製造装置１００は熱風乾燥炉のように風を使わないため、塗料の破片が飛び散るようなことがないことも、設備コストなどの低減に貢献する。これは、平角導体Ｄの外側であって誘導コイル３１の内側に、非磁性体で形成される非磁性パイプ３７が配置されることも関連する。つまり、素線Ｄ１の周囲に塗布された絶縁層５０の乾燥によって、有機溶剤が揮発する。それに伴って絶縁被覆材が飛散する場合がある。また、有機溶剤は設備によって吸引されるので、それに伴って絶縁被覆材がヒュームとなって飛散する場合もある。非磁性パイプ３７を用いることで、こうした汚れの拡散を抑えることができる。
【００３６】
次に、本発明の第２の実施形態について説明する。第２実施形態は第１実施形態とほぼ同様であるが、乾燥部３０の構成について若干異なるので、以下にその点を中心に説明をする。
【００３７】
図７に、乾燥部の斜視図を示す。乾燥部３０の誘導コイル３１は、半円ずつ非磁性ガイド４１の内部に埋め込まれている。非磁性ガイド４１の内周には非磁性パイプ３７が設けられている。そして、非磁性パイプ３７は平角導体Ｄの搬送方向に分割面３７ａが設けられており、非磁性ガイド４１にも分割面４１ａが設けられており、分割可能な構成となっている。なお、非磁性パイプ３７と非磁性ガイド４１は非磁性材料を用いて一体的に形成されていても良い。
【００３８】
第２実施形態の絶縁被覆線製造装置１００は上記構成であるので、平角導体Ｄの張り替えや、乾燥部３０のメンテナンスを行う際に、メンテナンスに必要な時間を短縮することが可能である。
【００３９】
以上、本実施形態に則して発明を説明したが、この発明は前記実施形態に限定されるものではなく、発明の趣旨を逸脱することのない範囲で構成の一部を適宜変更することにより実施することもできる。例えば、第１実施形態又は第２実施形態に例示した材質などは、適宜変更することを妨げない。また、非磁性パイプ３７を用いた構成としているが、これを設けない構成であっても良い。また、絶縁被覆線製造装置１００の構成についても必要な装置を付加することを妨げない。
【００４０】
更に、第２実施形態で非磁性パイプ３７及び非磁性ガイド４１の構成を示しているが、一体的な部品にすることを妨げない。また、第１実施形態及び第２実施形態では平角導体Ｄが芯線として説明されているが、芯線が丸線であってもその他の形状であっても適応が可能である。また、図５に示した温度制御は、平角導体Ｄの形状や太さ、絶縁層５０の材質や溶剤の種類によっても適宜変更することが好ましい。また、誘導コイル３１の構成として第１誘導コイルＣ１乃至第６誘導コイルＣ６を用いているが、これを増減したり、第１誘導コイルＣ１乃至第６誘導コイルＣ６のいずれかの長さや粗密を変更したりすることを妨げない。
【符号の説明】
【００４１】
１０      巻出部
２０      塗工部
３０      乾燥部
３１      誘導コイル
３７      非磁性パイプ
３８      交流電源
３９      冷却塔
４０      巻取部
４１      非磁性ガイド
５０      絶縁層
５１      気泡
１００      絶縁被覆線製造装置
Ｄ      平角導体
Ｄ１      素線
Ｄ２      塗布済素線
Ｄ３      乾燥済平角線
【図１】
2016081604.tif 000003
【図２】
2016081604.tif 000004
【図３】
2016081604.tif 000005
【図４】
2016081604.tif 000006
【図５】
2016081604.tif 000007
【図６】
2016081604.tif 000008
【図７】
2016081604.tif 000009